(57)【特許請求の範囲】
【請求項１】
所定の識別データに対応した赤外線信号を発信可能なリモコン送信器（Ｔ）と、このリモコン送信器（Ｔ）が発した赤外線信号を受信可能なリモコン受信器（Ｒ）と、ロック機構（Ｌ）に連動連結されたロックアクチュエータ（Ａ）と、リモコン受信器（Ｒ）の受信信号が前記所定の識別データに対応したものである場合に該受信信号に応じてロックアクチュエータ（Ａ）を作動制御する制御装置（Ｃ）とを備えた赤外線式リモコンロック操作装置に対し、リモコン送信器（Ｒ）によらずにロックアクチュエータ（Ａ）を作動制御するための非常操作システムであって、
赤外線信号を発信可能な赤外線送信ポート（Ｐ）を有する携帯通信端末機（ＴＰ）と、この携帯通信端末機（ＴＰ）に指令信号を随時に送信可能なサービスセンター（ＳＳ）とを備え、
前記携帯通信端末機（ＴＰ）は、サービスセンター（ＳＳ）から送信された指令信号を受信可能な受信手段（１２）と、その指令信号の受信に応じて赤外線信号を前記赤外線送信ポート（Ｐ）より発信させる発信制御手段（１１′）とを有しており、
前記サービスセンター（ＳＳ）は、ユーザからの連絡を受けるための通信手段（２０）と、その連絡を受けたときにユーザの本人確認を行うための情報、並びにユーザ固有の前記識別データを予め蓄積した情報蓄積手段（２１）とを有していて、ユーザからの連絡による本人確認に基づいて前記携帯通信端末機（ＴＰ）に対し指令信号と共にユーザ固有の特定の識別データを送信可能であり、
一方、ユーザ固有の前記識別データを持たない前記携帯通信端末機（ＴＰ）が、前記サービスセンター（ＳＳ）から送信された前記指令信号及び前記特定の識別データを受信するのに応じて、前記赤外線送信ポート（Ｐ）から該特定の識別データに対応した赤外線信号を発信可能であることを特徴とする、赤外線式リモコンロック操作装置を非常操作するためのシステム。
【請求項２】
所定の識別データに対応した赤外線信号を発信可能なリモコン送信器（Ｔ）と、このリモコン送信器（Ｔ）が発した赤外線信号を受信可能なリモコン受信器（Ｒ）と、ロック機構（Ｌ）に連動連結されたロックアクチュエータ（Ａ）と、リモコン受信器（Ｒ）の受信信号が前記所定の識別データに対応したものである場合に該受信信号に応じてロックアクチュエータ（Ａ）を作動制御する制御装置（Ｃ）とを備えた赤外線式リモコンロック操作装置に対し、リモコン送信器（Ｒ）によらずにロックアクチュエータ（Ａ）を作動制御するための非常操作方法であって、
赤外線信号を発信可能な赤外線送信ポート（Ｐ）を有し且つサービスセンター（ＳＳ）からの送信信号に対する受信機能を備えるがユーザ固有の前記識別データは持たない携帯通信端末機（ＴＰ）に、サービスセンター（ＳＳ）から送信された指令信号及びユーザ固有の特定の識別データに応じて該端末機（ＴＰ）が該特定の識別データに対応した赤外線信号を前記赤外線送信ポート（Ｐ）より発信動作するための発信プログラムを予め入力しておく過程と、
サービスセンター（ＳＳ）がユーザからの連絡を受けてユーザの本人確認を行う過程と、
前記携帯通信端末機（ＴＰ）の赤外線送信ポート（Ｐ）をリモコン受信器の赤外線受信部に向かせる過程と、
前記本人確認に基づいてサービスセンター（ＳＳ）から前記携帯通信端末機（ＴＰ）に対し前記指令信号及びユーザ固有の特定の識別データを送信するのに応じて、該特定の識別データに対応した赤外線信号を該端末機（ＴＰ）の赤外線送信ポート（Ｐ）よりリモコン受信器（Ｒ）の赤外線受信部（Ｒａ）に向けて発信させて、ロックアクチュエータ（Ａ）を作動制御する過程とを含むことを特徴とする、赤外線式リモコンロック操作装置の非常操作方法。
【発明の詳細な説明】
【０００１】
【発明の属する技術分野】
本発明は、所定の識別データに対応した赤外線信号を発信可能なリモコン送信器と、このリモコン送信器が発した赤外線信号を受信可能なリモコン受信器と、ロック機構に連動連結したロックアクチュエータと、リモコン受信器の受信信号が前記所定の識別データに対応したものである場合に該受信信号に応じてロックアクチュエータを作動制御する制御装置とを備えた赤外線式リモコンロック操作装置に対し、リモコン送信器によらずにロックアクチュエータを作動制御するための携帯通信端末機、システム及び方法に関する。
【０００２】
【従来の技術】
従来、自動車や家屋等においては、赤外線信号を用いたリモコンロック操作装置によって、ドア等のロック機構のロックアクチュエータをキー無しで作動制御（即ち施錠又は解錠）できるようにしたものが広く採用されている。
【０００３】
【発明が解決しようとする課題】
従来の上記赤外線式リモコンロック操作装置では、ユーザがリモコン送信器を紛失したり携帯し忘れたような場合に、所定の識別データに対応した赤外線信号を発信できないため、ロックアクチュエータをキー無しで作動制御（即ち施錠又は解錠）することができなくなってしまう問題があった。
【０００４】
本発明は、上記に鑑み提案されたもので、リモコン送信器が紛失等によりユーザの手元に無いような場合でも、赤外線送信ポートを有する携帯電話等の携帯通信端末機を利用して（従って専用の送信器によることなく）ロックアクチュエータをキー無しで作動制御できるようにした、赤外線式リモコンロック操作装置を非常操作するための携帯通信端末機、システム及び方法を提供することを目的とする。
【０００５】
【課題を解決するための手段】
前記目的を達成するために請求項１の発明は、所定の識別データに対応した赤外線信号を発信可能なリモコン送信器と、このリモコン送信器が発した赤外線信号を受信可能なリモコン受信器と、ロック機構に連動連結されたロックアクチュエータと、リモコン受信器の受信信号が前記所定の識別データに対応したものである場合に該受信信号に応じてロックアクチュエータを作動制御する制御装置とを備えた赤外線式リモコンロック操作装置に対し、リモコン送信器によらずにロックアクチュエータを作動制御するための非常操作システムであって、赤外線信号を発信可能な赤外線送信ポートを有する携帯通信端末機と、この携帯通信端末機に指令信号を随時に送信可能なサービスセンターとを備え、前記携帯通信端末機が、サービスセンターから送信された指令信号を受信可能な受信手段と、その指令信号の受信に応じて赤外線信号を前記赤外線送信ポートより発信させる発信制御手段とを有しており、前記サービスセンターは、ユーザからの連絡を受けるための通信手段と、その連絡を受けたときにユーザの本人確認を行うための情報、並びにユーザ固有の前記識別データを予め蓄積した情報蓄積手段とを有していて、ユーザからの連絡による本人確認に基づいて前記携帯通信端末機に対し指令信号と共にユーザ固有の特定の識別データを送信可能であり、一方、ユーザ固有の前記識別データを持たない前記携帯通信端末機が、前記サービスセンターから送信された前記指令信号及び前記特定の識別データを受信するのに応じて、前記赤外線送信ポートから該特定の識別データに対応した赤外線信号を発信可能であることを特徴とし、また、請求項２の発明は、所定の識別データに対応した赤外線信号を発信可能なリモコン送信器と、このリモコン送信器が発した赤外線信号を受信可能なリモコン受信器と、ロック機構に連動連結されたロックアクチュエータと、リモコン受信器の受信信号が前記所定の識別データに対応したものである場合に該受信信号に応じてロックアクチュエータを作動制御する制御装置とを備えた赤外線式リモコンロック操作装置に対し、リモコン送信器によらずにロックアクチュエータを作動制御するための非常操作方法であって、赤外線信号を発信可能な赤外線送信ポートを有し且つサービスセンターからの送信信号に対する受信機能を備えた携帯通信端末機に、サービスセンターから送信された指令信号及びユーザ固有の特定の識別データに応じて該端末機が該特定の識別データに対応した赤外線信号を前記赤外線送信ポートより発信動作するための発信プログラムを予め入力しておく過程と、サービスセンターがユーザからの連絡を受けてユーザの本人確認を行う過程と、前記携帯通信端末機の赤外線送信ポートをリモコン受信器の赤外線受信部に向かせる過程と、前記本人確認に基づいてサービスセンターから前記携帯通信端末機に対し前記指令信号及びユーザ固有の特定の識別データを送信するのに応じて、該特定の識別データに対応した赤外線信号を該端末機の赤外線送信ポートよりリモコン受信器の赤外線受信部に向けて発信させて、ロックアクチュエータを作動制御する過程とを含むことを特徴とする。
【０００６】
上記各特徴によれば、リモコン送信器が紛失、携帯忘れ等によりユーザの手元に無いような場合には、サービスセンターがユーザからの連絡を受けてユーザの本人確認を行い、その確認後に携帯通信端末機に対して指令信号及びユーザ固有の特定の識別データを送信する。このサービスセンターからの指令信号及びユーザ固有の特定の識別データを携帯通信端末機が受信すると、その受信に応じて該端末機はその赤外線送信ポートから、該特定の識別データに対応した赤外線信号を発信する。従って、このとき、上記赤外線送信ポートがリモコン受信器の赤外線受信部に向けられていると、該赤外線送信ポートから発した上記赤外線信号がリモコン受信器の赤外線受信部で受信され、その受信に応じてリモコンロック操作装置の制御装置がロックアクチュエータを作動制御する。従って、リモコン送信器が紛失等によりユーザの手元に無くても、赤外線送信ポート付きの携帯通信端末機を利用してロックアクチュエータをキー無しで簡単に作動制御でき、しかもその作動制御に当たっては、サービスセンターがユーザに対し本人確認をした上で発信する指令信号を該端末機が受信する必要があるため、不正操作の防止により効果的である。即ち、ユーザ固有の特定の識別データは携帯通信端末機に入力しておかずにサービスセンターにだけ登録しておき、サービスセンターがユーザの本人確認に基づいて携帯通信端末機に対し指令信号を送信するときに、この指令信号と共に前記特定の識別データを送信することにより、該端末機の赤外線送信ポートから該特定の識別データに対応した赤外線信号を発信させることができる。
【０００７】
【発明の実施の形態】
本発明の実施の形態を、添付図面に例示した参考例及び本発明の実施例に基づいて以下に具体的に説明する。
【０００８】
添付図面において、図１はリモコンロック操作装置の一例を示すブロック図、図２は、参考例を示すブロック図、図３は、本発明の実施例を示すブロック図、図４は、携帯通信端末機の他の実施例を示す簡略図である。
【０００９】
先ず、図１において、車両としてのスクータは、その前輪を操向するための操向軸１と、この操向軸１の回動をロック又はアンロックするロック機構としてのハンドルロック機構Ｌとを備えており、そのハンドルロック機構Ｌは、赤外線式リモコンロック操作装置ＲＭにより遠隔操作可能である。前記ハンドルロック機構Ｌとリモコンロック操作装置ＲＭの主要部とは一体にユニット化されて１個のロックモジュールＭを構成しており、該モジュールＭは、操向軸１周辺の車体空間に配設、固定される。尚、図示例のようなモジュール化を採用せずに、ハンドルロック機構Ｌをリモコンロック操作装置ＲＭより分離独立させて車体適所に配設してもよい。
【００１０】
前記ロックモジュールＭは、函状のモジュールハウジング４を有しており、このモジュールハウジング４内には、乗員が携帯するリモコン送信器Ｔから送信された赤外線信号を受信可能なリモコン受信器Ｒと、前記ハンドルロック機構Ｌと、このハンドルロック機構Ｌに連動連結されてこれをロック・ロック解除し得るロックアクチュエータＡと、リモコン受信器Ｒの受信信号の正否を判断して正の場合に該受信信号に基づきロックアクチュエータＡを作動制御する制御装置Ｃとが、その相互間の配線部と共に設けられる。前記リモコン受信器Ｒの赤外線受信部Ｒａは、車外より赤外線信号を容易に受信し得るように、モジュールハウジング４の、外部に露出した外面適所に配設される。尚、ハンドルロック機構Ｌは、従来周知の自動二輪車用ハンドルロック機構と同様の構造を有していて、操向軸１に係脱可能となっている。
【００１１】
また前記モジュールハウジング４には、バッテリＢＡから車載の各電装品７に通電するための通電回路８の一部と、該通電回路８の一部を開閉可能なメインリレー９と、このメインリレー９をオンオフさせるためのメインスイッチＳＷとが設けられる。このメインスイッチＳＷはロックアクチュエータＡにも接続されており、該スイッチＳＷをオンさせることにより、制御装置Ｃとは無関係にロックアクチュエータＡを作動させてハンドルロック機構Ｌを解錠できるようになっている。
【００１２】
また前記モジュールハウジング４には、イグニッションキーを挿入し得るキーシリンダ（図示せず）が配設される。このキーシリンダおよびハンドルロック機構Ｌ間は、従来周知の自動二輪車用ハンドルロック機構およびキーシリンダ間と同様の連動関係にあり、イグニッションキーの抜き取り操作に連動してハンドルロック機構Ｌを施錠できるようになっている。また前記キーシリンダは、従来周知の自動二輪車のイグニッションキー用キーシリンダと同様、イグニッションキーのキー操作に連動してメインスイッチＳＷを開閉し得るように構成される。
【００１３】
前記リモコン送信器Ｔには、ロック解錠又は施錠を操作入力するための操作スイッチ２が付設されると共に、特定の識別データとしてのＩＤコードに対応した赤外線信号を該スイッチ２に対する操作入力に応じて送信し得る信号送信手段（図示せず）が内蔵される。尚、このような赤外線送信器の構造は、従来周知である。
【００１４】
前記制御装置Ｃは、ＣＰＵやメモリを含む信号判断部としてのＩＤコード照合手段Ｃ１と、ロックアクチュエータＡに作動指令信号を出力するアクチュエータ駆動手段Ｃ２と、メインリレー９に作動指令信号を出力するメインリレー駆動手段Ｃ３と、電源回路Ｃ４とを備える。
【００１５】
前記ＩＤコード照合手段Ｃ１は、リモコン受信器Ｒが受信した赤外線信号の正否、即ちその受信信号のＩＤコードが予め記憶された特定のＩＤコードと一致するか否かを照合判断する。このＩＤコード照合手段Ｃ１が受信信号を正規の赤外線信号である（上記ＩＤコードが一致した）と判断するのに応じてアクチュエータ駆動手段Ｃ２よりロックアクチュエータＡに作動指令信号が出力される。
【００１６】
前記メインリレー９は、モジュールハウジング４内でメインリレー駆動手段Ｃ３及びメインスイッチＳＷに接続され、このメインリレー９がオンすることによって、バッテリＢＡから車載の各電装品７（エンジン始動回路を含む）への通電が可能となる。
【００１７】
次に上記構成のリモコンロック操作装置ＲＭの作用を説明する。
【００１８】
いま、スクータＶが駐車状態にあって、ハンドルロック機構Ｌが施錠状態にあるものとする。
【００１９】
この状態で、リモコン送信器Ｔから赤外線信号が発せられ、これがリモコン受信器Ｒで受信されると、制御装置ＣのＩＤコード照合手段Ｃ１においては、受信信号の正否、即ちその受信信号のＩＤコードが予め記憶された特定のＩＤコードと一致するか否かが照合判断される。そして、受信信号が正規の赤外線信号である（上記ＩＤコードが一致した）と判断された場合には、アクチュエータ駆動手段Ｃ２がオンしてロックアクチュエータＡに作動指令信号を出力することにより、該アクチュエータＡをアンロック状態に切換作動させ、かくして、ハンドルロック機構Ｌが解錠される。これと同時に、ＩＤコード照合手段Ｃ１はメインリレー駆動手段Ｃ３をオンして、前記メインリレー９を通電許可状態にする。
【００２０】
次にイグニッションキーのキー操作によりメインスイッチＳＷをオフからオンに切換えると、メインリレー９がオン状態となってメイン電源が投入されるため、エンジン始動回路を含む各電装品７への通電が可能な状態となる。従ってこの状態で、イグニッションキーのキー操作等により始動スイッチ（図示せず）をオンすれば、エンジン始動回路へ通電がなされてエンジンを始動させることができ、その始動完了と共に、スクータＶは走行可能な状態となる。
【００２１】
また運転状態にあるエンジンを停止させる場合は、イグニッションキーのキー操作によりメインスイッチＳＷをオンからオフに切換える。これによりエンジンの電気系統への通電が遮断されてエンジンが停止する。そして、この状態より、自動二輪車における従来周知のハンドルロック機構と同様に、イグニッションキーをキーシリンダより抜き取ると、これに連動してロック機構Ｌをロック作動させて操向軸１を施錠することができる。
【００２２】
尚、ハンドルロック機構Ｌの施錠状態で、イグニッションキーをキー操作してメインスイッチＳＷをオンすれば、リモコンロック操作装置ＲＭとは無関係にロックアクチュエータＡを作動させてハンドルロック機構Ｌを解錠することができる。従って、従来普通の車両用リモコンドアロック装置と同様、リモコン送信器Ｔに依らなくても、イグニッションキーにより解錠可能である。
【００２３】
以上のような赤外線式リモコンロック操作装置ＲＭに対し、リモコン送信器Ｔ及びイグニッションキー操作によらずにロックアクチュエータＡを作動制御するための非常操作手段として、図示例では携帯電話ＴＰが利用されており、これが本発明の携帯通信端末機を構成する。
【００２４】
次に参考例を図２を参照して説明する。非常操作手段としての携帯電話ＴＰは、従来普通の携帯電話の機能を有しており、更に赤外線信号を送受信可能な赤外線送受信ポートＰと、操作盤１０への操作入力に応じて前記ＩＤコードに対応した赤外線信号を赤外線送受信ポートＰより発信させる発信制御手段１１とを備える。
【００２５】
前記操作盤１０の構成は、従来普通の携帯電話の操作盤と基本的に同様のものであり、これを普通に操作することで携帯電話ＴＰを本来の携帯電話として使用可能であり、また該操作盤１０に対する特定の操作入力に基づいて、赤外線送受信ポートＰから前記赤外線信号を任意に発信できるようになっている。而して操作盤１０は、赤外線送受信ポートＰからの前記赤外線信号の発信を任意に指令するための本発明の操作入力手段を構成する。
【００２６】
前記発信制御手段１１の記憶部には、前記特定の識別データとしてのＩＤコードと、操作盤１０への操作入力に応じて該ＩＤコードに対応した赤外線信号を赤外線送受信ポートＰより発信させる送信プログラムとが予め入力されている。
【００２７】
而してリモコン送信器Ｔが紛失、携帯忘れ等によりユーザの手元に無いような場合には、携帯電話ＴＰの赤外線送受信ポートＰをリモコン受信器Ｒの赤外線受信部Ｒａに向けた状態で、該携帯電話ＴＰの操作盤１０に対し特定の操作入力を行なう。この操作入力に応じて前記発信制御手段１１が前記ＩＤコードに対応した赤外線信号を赤外線送受信ポートＰより発信させ、この赤外線信号がリモコン受信器Ｒの赤外線受信部Ｒａで受信されると、その受信に応じてリモコンロック操作装置ＲＭの制御装置Ｃが、前記した通常のリモコン操作の場合と同様にロックアクチュエータＡを作動制御してロック解錠する。
【００２８】
従って、リモコン送信器Ｔが紛失等によりユーザの手元に無くても、赤外線送受信ポートＰ付きの携帯電話ＴＰを利用してロックアクチュエータＡをキー無しで簡単に作動制御することができる。
【００２９】
次に本発明の実施例を説明する。その実施例のシステムは、赤外線信号を送受信可能な赤外線送受信ポートＰを有する携帯通信端末機としての携帯電話ＴＰと、この携帯電話ＴＰに対し指令信号及び識別データとしてのＩＤコードを随時に送信可能なサービスセンターＳＳとを含む。
【００３０】
前記携帯電話ＴＰは、従来普通の携帯電話の機能を有しており、サービスセンターＳＳから送信された指令信号としての指令電波及び識別データとしてのＩＤコードを受信可能な受信手段１２と、その指令電波及び識別データとしてのＩＤコードの受信に応じて前記ＩＤコードに対応した赤外線信号を前記赤外線送受信ポートＰより発信させる発信制御手段１１′とを備える。
【００３１】
前記発信制御手段１１′の記憶部には、前記指令電波及び識別データとしてのＩＤコードの受信に応じて前記ＩＤコードに対応した赤外線信号を赤外線送受信ポートＰより発信させる送信プログラムが予め入力されている。
【００３２】
またサービスセンターＳＳは、ユーザからの連絡を受けるための電話等の通信手段２０と、その連絡を受けたときにユーザの本人確認を行うための個人情報（例えばユーザ個人のＩＤコード、車体フレーム番号、免許証番号等々）及びユーザ固有の識別データ（ＩＤコード）を予め登録、蓄積したパソコン等の情報蓄積手段２１とを備えている。尚、サービスセンターＳＳには、ユーザからの連絡をいつでも受け付けて対応できるように要員が２４時間待機している。
【００３３】
而してリモコン送信器Ｔが紛失、携帯忘れ等によりユーザの手元に無いような場合には、ユーザは、先ず、サービスセンターＳＳに携帯電話ＴＰ等で連絡をする。サービスセンターＳＳでは、ユーザからの連絡を受けると、前記情報蓄積手段２１の蓄積情報に基づいてユーザの本人確認を行い、その確認後に該ユーザの携帯電話ＴＰに対して指令電波及び該ユーザの特定の識別データ（ＩＤコード）を送信する。
【００３４】
このサービスセンターＳＳからの指令電波及び前記特定の識別データ（ＩＤコード）をユーザの携帯電話ＴＰが受信すると、その受信に応じて該電話ＴＰの発信制御手段１１′は赤外線送受信ポートＰから、特定のＩＤコードに対応した赤外線信号を発信させる。従って、このとき、上記赤外線送受信ポートＰをリモコン受信器Ｒの赤外線受信部Ｒａに向けておくことにより、該赤外線送受信ポートＰから発した上記赤外線信号がリモコン受信器Ｒの赤外線受信部Ｒａで受信され、その受信に応じてリモコンロック操作装置ＲＭの制御装置Ｃが、前記した通常のリモコン操作の場合と同様にロックアクチュエータＡを作動制御してロック解錠する。
【００３５】
従って、リモコン送信器Ｔが紛失等によりユーザの手元に無くても、赤外線送受信ポートＰ付きの携帯電話ＴＰを利用してロックアクチュエータＡをキー無しで簡単に作動制御でき、しかもその作動制御に当たっては、サービスセンターＳＳがユーザに対し本人確認をした上で発信する指令電波及び前記特定の識別データ（ＩＤコード）を該ユーザの携帯電話ＴＰが受信する必要があるため、不正操作の防止に極めて効果的である。
【００３６】
尚、本発明の携帯通信端末機としては、図示例の携帯電話ＴＰの他、少なくとも赤外線送信ポートを有して第三者と通信可能な種々の携帯通信機器、例えばノートパソコンや電子手帳（図４参照）、更には携帯ゲーム機、腕時計、ポケットベル等も使用可能である。
【００３７】
而して本実施例によれば、ユーザ固有の特定の識別データ（ＩＤコード）は携帯通信端末機ＴＰに入力しておかずにサービスセンターＳＳにだけ登録しておき、サービスセンターＳＳがユーザの本人確認に基づいて携帯通信端末機ＴＰに対し指令信号を送信するときに、この指令信号に前記特定の識別データ（ＩＤコード）を載せた形で送信することにより、該端末機ＴＰの赤外線送信ポートＰから該特定の識別データ（ＩＤコード）に対応した赤外線信号を発信させることができる。
【００３８】
以上、本発明の実施例を詳述したが、本発明は前記実施例に限定されるものでなく、種々の小設計変更を行うことが可能である。例えば、前記実施例では、スクータ用のハンドルロック機構Ｌをリモコン操作するリモコンロック操作装置ＲＭに適用したものを示したが、本発明は、スクータ以外の自動二輪車や、三輪自動車、四輪自動車の種々のロック機構をリモコン操作するリモコンロック操作装置に適用してもよい。さらに車両以外の種々のロック機構、例えば家屋のドアのロック機構等をリモコン操作するリモコンロック操作装置に適用してもよい。
【００３９】
また前記実施例では、リモコンロック操作装置ＲＭ及び携帯通信端末機ＴＰによりロックアクチュエータＡを作動制御するに当たり、ロックアクチュエータＡの解錠のみを行い、施錠は手動（イグニッションキーの抜取り）で行うようにしたものを示したが、本発明では、リモコンロック操作装置ＲＭ及び携帯通信端末機ＴＰにより、ロックアクチュエータＡの解錠及び施錠を両方とも行えるようにしてもよく、また施錠のみを行うようにしてもよい。
【００４０】
【発明の効果】
以上のように本発明によれば、赤外線信号を用いたリモコンロック操作装置において、リモコン送信器が紛失、携帯忘れ等によりユーザの手元に無いような場合には、赤外線信号を送信可能な赤外線送信ポートを有する携帯通信端末機を利用して、ロックアクチュエータを作動制御するための赤外線信号をリモコン受信器の赤外線受信部に向けて送信できるので、リモコン送信器によることなくロックアクチュエータをキー無しで簡単に作動制御することができ、しかもその作動制御に当たっては、上記携帯通信端末機が代替送信器の役目を果たすから、専用の送信器を特別に用意する必要はなく、コスト節減が図られる。
【００４１】
また上記携帯通信端末機を用いてロックアクチュエータを作動制御するに当たっては、サービスセンターがユーザに対し本人確認をした上で発信する指令信号を該端末機が受信する必要があるため、不正操作の防止に効果的である。即ち、ユーザ固有の特定の識別データは携帯通信端末機に入力しておかずにサービスセンターにだけ登録しておき、サービスセンターがユーザの本人確認に基づいて携帯通信端末機に対し指令信号を送信するときに、この指令信号と共に前記特定の識別データを送信することにより、該端末機の赤外線送信ポートから該特定の識別データに対応した赤外線信号を発信させることができる。
【図面の簡単な説明】
【図１】  リモコンロック操作装置の一例を示すブロック図
【図２】  参考例を示すブロック図
【図３】  本発明の実施例を示すブロック図
【図４】  携帯通信端末機の他の実施例を示す簡略図
【符号の説明】
Ａ        ロックアクチュエータ
Ｃ        制御装置
Ｌ        ハンドルロック機構（ロック機構）
Ｐ        赤外線送信ポート（赤外線送受信ポート）
Ｔ        リモコン送信器
ＴＰ      携帯電話（携帯通信端末機）
Ｒ        リモコン受信器
Ｒａ      赤外線受信部
ＲＭ      リモコンロック操作装置
ＳＳ      サービスセンター
１０      操作盤（操作入力手段）
１１′    発信制御手段
１２      受信手段
２０      通信手段
２１      情報蓄積手段
【図１】
0004545997.tif 000002
【図２】
0004545997.tif 000003
【図３】
0004545997.tif 000004
【図４】
0004545997.tif 000005